(57)【特許請求の範囲】
【請求項１】
複数の防災端末器を接続した自火報受信機に、通信回線を介して、複数の表示操作装置を接続し、各々の表示操作装置に建物の平面図を表示し、その平面図上に上記防災端末器のシンボルを配置表示して、防災端末器の作動状況を表示する構成の自火報システムにおいて、
上記複数の表示操作装置の各々は、単独でシミュレーションモードを開始して、上記防災端末器の模擬的な作動状況を表示可能とすることを特徴とする、シミュレーション機能を有した自火報システム。
【請求項２】
上記複数の表示操作装置のうち、１の表示操作装置がシミュレーションモードを開始したときには、他の表示操作装置はシミュレーションモードの開始が禁止されることを特徴とする、請求項１に記載のシミュレーション機能を有した自火報システム。
【請求項３】
上記複数の表示操作装置のうち、シミュレーションモード中でない表示操作装置は、上記防災端末器の実際の作動状況の表示を継続することを特徴とする、請求項１又は請求項２に記載のシミュレーション機能を有した自火報システム。
【発明の詳細な説明】
【０００１】
【発明の属する技術分野】
本発明は、自動火災報知システム（以下「自火報システム」という）に備えられた表示操作装置による、システムのシミュレーション機能の技術に関する。
【０００２】
【従来の技術】
従来から、ビルやマンションなどに導入された自火報システムでは、防災センタや管理人室などに設置された自火報受信機に、パソコンなどで構成された表示操作装置を接続して、火災の早期発見や避難誘導などに役立てている。
この表示操作装置は、ディスプレイに建物の平面図を表示し、自火報受信機から、防災端末器の作動信号を受信すれば、その平面図上に火災の発生場所やその防災端末器の作動状況を、文字やグラフィックで表示して、管理者や警備員などが現在の状況を容易に認識できるようにしている。
【０００３】
例えば、平面図上に火災感知器のシンボルを常に表示しておき、火災感知器の発報があれば、このシンボルの表示を、色を変化させたり点滅（フリック）させたりして、火災の発生及びその発生場所が直感的に分かるようにしている。
ところで、この表示操作装置には、シミュレーション機能が備わっており、模擬的に防災端末器が作動したように自火報受信機を動作させ、その模擬的な作動状況が確認できるようになっている。このシミュレーションを予め行っておけば、管理者などは、実際に防災端末器が作動した緊急時に、その対応に戸惑うことがなく、迅速に対処することができる。
【０００４】
また、大規模な自火報システムにおいては、自火報受信機に、複数の表示操作装置を接続することができ、例えば、防災センタと、これとは離れた場所にある管理人室の各々に、表示操作装置を設置し、双方において同時に、防災端末器の作動状況が判るとともに、シミュレーションができるようになっている。
【０００５】
【発明が解決しようとする課題】
ところが、上記した従来の自火報システムでは、自火報受信機に複数の表示操作装置を接続した場合、１台の表示操作装置において、シミュレーションモードを開始すれば、システム全体でシミュレーションモードが開始されるようになっており、他の表示操作装置においても、防災端末器の模擬的な作動状況が表示されるようになっている。
【０００６】
そのため、他の表示操作装置側の管理者が、シミュレーションを実施していると知らない場合は、防災端末器の模擬的な作動を、実際の作動と勘違いして、混乱を招く場合があった。
本発明は、このような事情に鑑みてなされたものであり、複数の表示操作装置の各々において、単独でシミュレーションが実施できる自火報システムを提供することを目的としている。
【０００７】
【課題を解決するための手段】
上記目的を達成するため、本発明の請求項１に記載のシミュレーション機能を有した自火報システムでは、複数の表示操作装置の各々は、単独でシミュレーションモードを開始して、防災端末器の模擬的な作動状況を表示可能とする。この自火報システムでは、表示操作装置の各々が、シミュレーションを実施でき、また、他のシミュレーションとの並行実施ができるようになっている。
【０００８】
ここに、自火報受信機に接続された防災端末器には、火災感知器、地区音響装置、防排煙機器（防火戸、垂れ壁、排煙機など）、ガス漏れ警報器、スプリンクラ、その他の異常検出器などがある。
請求項２では、請求項１において、複数の表示操作装置のうち、１の表示操作装置がシミュレーションモードを開始したときには、他の表示操作装置はシミュレーションモードの開始が禁止されることを特徴とする。この自火報システムでは、１台の表示操作装置にのみ、シミュレーションを可能にしているため、自火報受信機では、処理がさほど複雑にならなくて済む。
【０００９】
請求項３では、請求項１又は請求項２において、複数の表示操作装置のうち、シミュレーションモード中でない表示操作装置は、防災端末器の実際の作動状況の表示を継続することを特徴とする。すなわち、シミュレーションを実施しない表示操作装置は、他の表示操作装置のシミュレーションと並行して、通常の監視モードを継続させる。
【００１０】
【発明の実施の形態】
以下に、本発明の実施の形態について、図面とともに説明する。
図１は、本発明のシミュレーション機能を有した自火報システムの構成の一例を示した図である。
防災センタなどに設置された自火報受信機２は、通信回線Ｌを導出して、複数台の表示操作装置１（＃１〜＃ｎ）の各々を、各インタフェースＩＦ（＃１〜＃ｎ）を介して接続する。
【００１１】
また、自火報受信機２は、中継器３ａを介し、防災端末器として１または複数の火災感知器Ｓを接続し、終端に終端器Ｅａを接続した感知器回線Ｌｓを接続しており、また、中継器３ｂを介し、１または複数の地区音響装置Ｂを接続し、終端に終端器Ｅｂを接続した音響回線Ｌｂと、中継器３ｃを介して防火戸などの防排煙機器４とを接続して、自火報システムを構成している。
【００１２】
このような構成によって、自火報受信機２は、火災感知器Ｓのいずれかが発報したときには、警報音を出力したり、表示灯を点灯・点滅させて、管理者などに火災感知器Ｓの作動を知らせるとともに、表示操作装置１（＃１〜＃ｎ）のすべてに対して、発報した火災感知器Ｓのアドレスを付加した発報信号を送信し、各々のディスプレイ１ａ上に火災の発生とその発生場所を表示させる。また、同時に、発報した火災感知器Ｓに対応した地区音響装置Ｂを鳴動させたり、防排煙機器４を連動させるとともに、その連動状態も各表示操作装置１（＃１〜＃ｎ）に表示させている。
【００１３】
なお、自火報受信機２に接続された防災端末器には、火災感知器Ｓ、地区音響装置Ｂ、防排煙機器４（防火戸、垂れ壁、排煙機など）の他、ガス漏れ警報器、スプリンクラ、その他の異常検出器などがある。
図２は、表示操作装置１の要部構成を示したブロック図である。
この表示操作装置１は、ディスプレイ１ａと本体部１ｂ等からなるパソコンなどで構成される。
【００１４】
図示するように、本体部１ｂには、ＣＰＵなどで構成され、以下の各手段を制御する制御手段１１と、自火報受信機２との間における信号の伝送を制御する伝送手段１２と、ディスプレイ１ａに対する表示を制御する表示手段１３と、ＲＡＭ等で構成され、防災端末器の作動状況のデータ等を記憶する記憶手段１４と、キーボードやマウスなどで構成され、この装置１の動作を指示するために操作する操作手段１５と、防災端末器の作動状況などを、音声メッセージや警報音などでスピーカＳＰから出力する音声出力手段１６とを備えている。
【００１５】
表示手段１３は、ディスプレイ１ａに建物の平面図を表示し、この平面図上に火災感知器Ｓなどの防災端末器のシンボルを配置表示しているが、制御手段１１が、自火報受信機２から伝送手段１２を介して、例えば、火災感知器Ｓの発報信号を受けたときには、表示手段１３によってディスプレイ１ａに表示した、発報した火災感知器Ｓのシンボルを変化させるとともに、この発報信号に対応した音声メッセージを、音声出力手段１６によってスピーカＳＰから出力する。
【００１６】
この自火報システムには、シミュレーション機能が備わっており、表示操作装置１において、操作手段１５を操作して、シミュレーションモードとし、模擬的に防災端末器が作動したように自火報受信機２を動作させ、その模擬的な作動状況を確認できるようになっている。このシミュレーションを予め行っておくことによって、管理者などは、実際に防災端末器が作動するような緊急時においても、対応に戸惑うことがなくなる。
【００１７】
表示操作装置１には、記憶手段１４に、防災端末器の実際の作動状況データを記憶する実状態管理テーブル１４ａと、防災端末器の模擬的な作動状況データを記憶する模擬状態管理テーブル１４ｂを設けており、通常の監視モードにおいては実状態管理テーブル１４ａが使用され、シミュレーションモードにおいては模擬状態管理テーブル１４ｂが使用される。
【００１８】
なお、シミュレーション中でも、実際の防災端末器の作動信号を受信したときに、実状態管理テーブル１４ａを使用し、そのデータを書き換えるようにしてもよい。これによって、直ちに対処しなければならない緊急度の高い防災端末器が作動したときに、シミュレーションモードを中止して、防災端末器の実際の作動状況を表示するようにしたり、シミュレーションモードを終了したときに、シミュレーションモード開始前にモード中も含めた防災端末器の実際の作動状況を表示することができる。
【００１９】
図３には、表示操作装置１のディスプレイ１ａへの表示例を示している。
ディスプレイ１ａには、建物の平面図２０（図では、「３０Ｆ−１」の平面図）が表示しており、これとともに、現在の日時や、表示している平面図２０の情報、火災感知器Ｓが発報したときの情報などを表示する情報表示エリア２１と、操作手段１５の操作内容などを表示するファンクション表示エリア２２を、合わせて表示している。なお、ディスプレイ１ａへの表示は、建物の平面図２０は限定されず、直上階、直下階の状況などが分かる断面図であってもよい。
【００２０】
図示した情報表示エリア２１では、防災端末器が作動して警報が発生したときには、「警報発生中」表示２１ａを反転表示し、シミュレーションモード中は、「シミュレーション」表示２１ｂを反転表示するようになっている。
ここでは、シミュレーションモードにおけるディスプレイ１ａの表示例を示しており、平面図２０上に、防災端末器の模擬的な作動状況を示している。また、この図では、模擬的に発報した火災感知器Ｓのシンボル２０ａと、その火災感知器Ｓが属する監視地区のシンボル２０ｂが、それぞれに予め割り当てられた番号（アドレス）とともに、表示態様を変化させている。詳しくは、監視地区「６」内の火災感知器「１」が、模擬的に発報している状態を示している。
【００２１】
なお、図中、２０ｃは防火戸のシンボルを、２０ｄは垂れ壁のシンボルを示しており、これらの防災端末器も作動すれば、その表示態様を変化させる。
シミュレーションモードを終了するときには、「初期化」ボタン２２ａを操作する。すると、「シミュレーション」表示２１ｂは元の表示に戻り、通常の監視モードになって、以降、防災端末器の実際の作動状況を表示するようになる。
【００２２】
図３の場合では、「初期化」ボタン２２ａを操作してシミュレーションモードを終了を指示したときには、模擬的な作動状況を示す火災感知器Ｓと監視地区のシンボル２０ａ，２０ｂは、元の作動していないときの表示に戻る。
本発明では、複数の表示操作装置１（＃１〜＃ｎ）の各々が、単独でシミュレーションモードを開始して、防災端末器の模擬的な作動状況を表示できるようになっている。すなわち、この自火報システムでは、表示操作装置１（＃１〜＃ｎ）の各々が、シミュレーションを実施でき、また、他のシミュレーションとの並行実施ができる。
【００２３】
したがって、他の表示操作装置１においてシミュレーションを実施していても、従来のように、自己が監視している表示操作装置１に、防災端末器の模擬的な作動が表示されることがなく、実際の作動と勘違いすることがないため、混乱を招く場合がない。
図４には、上記した自火報システムの動作の一例を示している。ここには、自火報受信機２と、２台の表示操作装置１（＃１，＃２）の各々との間で、通信回線Ｌを通じて送受される信号のやり取りが、各々の信号に（１）〜（１２）の符号が付されて示されている。
【００２４】
表示操作装置１（＃１）は、（１）シミュレーション開始指令を自火報受信機２に送出し、（２）その応答を受けて、シミュレーション中表示（２１ｂ）を行い、シミュレーションモードを開始する。一方の表示操作装置１（＃２）も、（３）シミュレーション開始指令を自火報受信機２に送出し、（４）その応答を受けて、シミュレーション中表示（２１ｂ）を行い、シミュレーションモードを開始する。このように２台の表示操作装置１（＃１，＃２）の各々において、シミュレーションが並行して実施できる。
【００２５】
すなわち、表示操作装置１（＃１，＃２）の各々は、シミュレーションモード中は、（５，７）各々別個の模擬の発報指令を行い、（６，８）受信機２からその応答を受ければ、模擬の発報表示を行う。そして、シミュレーションモードを終了すべく、（９，１１）初期化操作をし、初期化指令を送出したときには、（１０，１２）受信機２は初期化処理を行い、模擬の発報を復旧させるために初期化応答を送信し、これを受けた表示操作装置１（＃１，＃２）では、模擬の発報表示をクリアする。
【００２６】
このように動作するため、自火報受信機２には、表示操作装置１の模擬状態管理テーブル１４ｂと同様のテーブルを、各々の表示操作装置１（＃１，＃２）に対応させて設けておく必要がある。
図中、（５）から（８）までの間は、複数の表示操作装置１（＃１〜＃ｎ）のうち、シミュレーションモード中でない表示操作装置１（＃３〜＃ｎ）は、監視モードであり、上記の表示操作装置１（＃１，＃２）におけるシミュレーションと並行して、防災端末器の実際の作動状況の表示を行っている。
【００２７】
以上には、各々の表示操作装置１（＃１〜＃ｎ）において、シミュレーションを並行して実施できる場合を説明したが、この自火報システムでは、１台の表示操作装置１にのみ、シミュレーションを許可することもできる。
すなわち、複数の表示操作装置１（＃１〜＃ｎ）のうち、１台の表示操作装置１がシミュレーションモードを開始したときには、他の表示操作装置１はシミュレーションモードの開始が禁止される。
【００２８】
なお、シミュレーションが実施できる表示操作装置１は、予め特定しておいてもよく、この場合、シミュレーションを実施できない表示操作装置１は、記憶手段１４に、模擬状態管理テーブル１４ｂを設ける必要がない。
図５には、上記した自火報システムの動作の一例を示している。ここには、図４と同様、自火報受信機２と、２台の表示操作装置１（＃１，＃２）の各々との間で、通信回線Ｌを通じて送受される信号のやり取りが、各々の信号に（１）〜（１０）の符号が付されて示されている。
【００２９】
表示操作装置１（＃１）は、（１）シミュレーション開始指令を自火報受信機２に送出し、（２）その応答を受けて、シミュレーション中表示（２１ｂ）を行い、シミュレーションモードを開始する。シミュレーションモード中は、（３）模擬の発報指令を行い、（４）受信機２からその応答を受ければ、この表示操作装置１（＃１）のみが模擬の発報表示を行う。
【００３０】
表示操作装置１（＃１）がシミュレーションモード中のときに、表示操作装置１（＃２）が、（５）シミュレーション開始指令を自火報受信機２に送出すれば、（６）自火報受信機２からシミュレーション禁止応答を受け、シミュレーションができないことを表示する。
このような状態で、（７）自火報受信機２が防災端末器の実際の作動信号を送出したときには、監視モードである表示操作装置１（＃２）のみが、その作動状況を表示する。すなわち、シミュレーションモード中でない表示操作装置１（＃２）は、防災端末器の実際の作動状況を表示する。ところが、作動した防災端末器が、緊急度が高い防災端末器であるときには、表示操作装置１（＃１）においても、シミュレーションモードを中止し、監視モードに戻って、警報を発生させることが望ましい。
【００３１】
そして、表示操作装置１（＃１）が、シミュレーションモードを終了すべく、（８）初期化操作をし、初期化指令を送出したときには、（９）受信機２は初期化処理を行い、模擬の発報を復旧させるために初期化応答を送信し、これを受けた表示操作装置１（＃１）では、模擬の発報表示をクリアする。
その後、（１０）自火報受信機２が防災端末器の実際の作動信号を送出したときには、監視モードである双方の表示操作装置１（＃１，＃２）が、その作動状況を表示する。
【００３２】
以上のように動作する場合、自火報受信機２には、表示操作装置１の実状態管理テーブル１４ａと模擬状態管理テーブル１４ｂと同様のテーブルを設ける。模擬状態管理テーブル１４ｂは、現在、シミュレーションモードである表示操作装置１に対してのみ使用すればよいため、自火報受信機２では、処理が複雑にならなくて済む。
【００３３】
【発明の効果】
以上の説明からも理解できるように、本発明の請求項１〜請求項３に記載の自火報システムでは、複数の表示操作装置の各々は、単独でシミュレーションが実施できる。したがって、他の表示操作装置においてシミュレーションを実施していても、従来のように、自己が監視している表示操作装置に、防災端末器の模擬的な作動が表示されることがなく、実際の作動と勘違いすることがないため、混乱を招く場合がない。
【００３４】
特に、請求項２では、複数の表示操作装置のうち、１の表示操作装置がシミュレーションモードを開始したときには、他の表示操作装置はシミュレーションモードの開始が禁止されるので、１台の表示操作装置にのみが、シミュレーションを実施でき、自火報受信機の処理が複雑にならない。
また、請求項３では、シミュレーションモード中でない表示操作装置は、他の表示操作装置のシミュレーションとは無関係に、防災端末器の実際の作動状況を表示を継続できる。
【図面の簡単な説明】
【図１】本発明の自火報システムの一例を示すシステム構成図である。
【図２】表示操作装置の要部構成の一例を示すブロック図である。
【図３】表示操作装置のディスプレイへの表示の一例を示す図である。
【図４】本発明の自火報システムの動作の一例を示す図である。
【図５】本発明の自火報システムの動作の他の例を示す図である。
【符号の説明】
１（＃１〜＃ｎ）  表示操作装置
１ａ              ディスプレイ
１１              制御手段
１２              伝送手段
１３              表示手段
２                自火報受信機
Ｓ                火災感知器
Ｌ                通信回線
２０              建物の平面図
２０ａ            火災感知器のシンボル
２０ｂ            監視地区のシンボル
【図１】
0003627520.tif 000002
【図２】
0003627520.tif 000003
【図３】
0003627520.tif 000004
【図４】
0003627520.tif 000005
【図５】
0003627520.tif 000006